(57)【要約】【課題】邪魔になるハウジング突起又は掛合突起を設けなくてよい手工具装置のための深さ止め固定装置を得る。【解決手段】手工具装置４の深さ止め２を固定するための固定装置１であり、ロッド案内５と、このロッド案内５のための固定手段６を設けた固定装置において、少なくとも１個のハウジング固定ノーズ８ａ，８ｂと、これらハウジング固定ノーズに対して軸線方向にずれた少なくとも１個のフランジ固定ノーズ９とを、それぞれに対応する手工具装置４の収容部１０，１０ａに掛合して形状ロックを生ずるよう設ける。好適には、固定装置１に半径方向取付面を設け、２個のハウジング固定ノーズ８ａ，８ｂを装置側で軸線方向に突出させ、軸線方向にずれたフランジ固定ノーズ９をツール側で半径方向内方に突出させ、フランジ固定ノーズ９に半径方向のアンダーカット１３を設ける。【選択図】図１
2004098280.tif 000002
【特許請求の範囲】
【請求項１】
　手工具装置（４）の深さ止め（２）を固定するための固定装置（１）であり、ロッド案内（５）と、このロッド案内（５）のための固定手段（６）を設けた固定装置において、少なくとも１個のハウジング固定ノーズ（８ａ，８ｂ）と、これらハウジング固定ノーズに対して軸線方向にずれた少なくとも１個のフランジ固定ノーズ（９）とを、それぞれに対応する前記手工具装置（４）の収容部（１０，１０ａ）に掛合して形状ロックを生ずるよう設けたことを特徴とする深さ止め固定装置。
【請求項２】
　固定装置（１）に半径方向取付面を設けた請求項１記載の深さ止め固定装置。
【請求項３】
　半径方向取付面（７）を内側取付面とした請求項２記載の深さ止め固定装置。
【請求項４】
　ハウジング固定ノーズ（８ａ，８ｂ）を装置側で軸線方向に突出するものとした請求項１乃至３のうちのいずれか一項に記載の深さ止め固定装置。
【請求項５】
　２個のハウジング固定ノーズ（８ａ，８ｂ）を設け、円筒形取付フランジ（１１）をハウジング内部で固定する埋没ねじ（１６）のための２個のねじヘッド孔間の距離（Ｘ）に相当する距離だけ前記ハウジング固定ノーズ（８ａ，８ｂ）を離して配置した請求項４に記載の深さ止め固定装置。
【請求項６】
　前記軸線方向にずれたフランジ固定ノーズ（９）をツール側で半径方向内方に突出させた請求項１乃至５のうちのいずれか一項に記載の深さ止め固定装置。
【請求項７】
　前記フランジ固定ノーズ（９）に半径方向のアンダーカット（１３）を設けた請求項１乃至６のうちのいずれか一項に記載の深さ止め固定装置。
【請求項８】
　固定手段（６）を蝶ねじとして構成した請求項１乃至７のうちのいずれか一項に記載の深さ止め固定装置。
【発明の詳細な説明】
【技術分野】
【０００１】
　本発明は、ハンマードリルのような手工具装置の深さ止めを軸線方向に移動自在に固定する固定装置に関するものである。
【０００２】
　通常は、ロッド状に構成した深さ止めは、ツール軸線に対して平行になるよう手工具装置ハウジング又はこのハウジングに固定した補助グリップに設けたロッド案内に軸線方向に移動自在に案内し、手操作で固定できる固定手段によって固定する。
【背景技術】
【０００３】
　手工具装置の深さ止めとしては、蝶ねじを有する緊締ジョーにより固定するもの（例えば、特許文献１参照）、偏心レバーにより固定するもの（例えば、特許文献２参照）、ハウジングの突出部に設けた各ロッド案内におけるばねスライドによって固定するもの（例えば、特許文献３参照）、掛合突起を形状ロック又は摩擦力ロックで固定するもの（例えば、特許文献４参照）がある。
【特許文献１】独国特許第３１２６２４５号明細書
【特許文献２】独国特許第２９１８５８６号明細書
【特許文献３】独国特許公開第１０００６０４２号公報
【特許文献４】独国特許第３５０９１９９号明細書
【０００４】
　ロッド案内を設けるよう半径方向に突出するハウジング突起又は掛合突起はツール収容部から半径方向に突出させる必要がある。このとき、深さ止めは軸線に平行延在する。深さ止めが必要なく、ロッド案内から取り外したとしても、常に半径方向に突出しているハウジング突起又は掛合突起は狭い作業空間で使用する際に邪魔になる。このことは、固定手段が存在する場合にはなおさらである。
【発明の開示】
【発明が解決しようとする課題】
【０００５】
　従って、本発明の目的は、邪魔になるハウジング突起又は掛合突起を設けなくてよい深さ止め固定装置を得るにある。
【課題を解決するための手段】
【０００６】
　この目的を達成するため、手工具装置のハウジング又は補助グリップに深さ止めを固定する本発明による固定装置は、ロッド案内と、このロッド案内の固定手段と、少なくとも１個のハウジング固定ノーズと、このハウジング固定ノーズに対して軸線方向にずらして配置した少なくとも１個のフランジ固定ノーズとを設け、これら固定ノーズを、それぞれに対応する前記手工具装置の収容部に掛合して形状ロックを生ずるよう設けたことを特徴とする。
【発明の効果】
【０００７】
　ハウジング固定ノーズ又はフランジ固定ノーズを設けることによって、深さ止めのための固定手段は、ハウジングと取付フランジとの間に着脱自在に取り付けることができ、ハウジング固定ノーズはこれに対応するハウジング収容部に、またフランジ固定ノーズはこれに対応するフランジ収容部に適合して形状ロックを生ずるよう掛合する。取り付けに使用するフランジ部分の表面は、深さ止めを使用しないときには、手工具装置を狭い作業空間で使用することができる。即ち、これは、半径方向に突出するハウジング突起がないため、余分な空間を必要としないためである。
【発明を実施するための最良の形態】
【０００８】
　本発明の好適な実施例においては、固定装置に半径方向取付面を設ける。この構成によれば、面接触により摩擦力で固定することができ、特に、フランジ緊締バンドを有する半径方向緊締によって固定することができる。
【０００９】
　本発明の好適な実施例においては、半径方向取付面を内側取付面とする。この構成によれば、円筒形取付フランジの一部に面接触することができる。
【００１０】
　本発明の好適な実施例においては、ハウジング固定ノーズを装置側で軸線方向に突出するものとする。この構成によれば、半径方向の移動止めをなすことができる。
【００１１】
　好適には、２個のハウジング固定ノーズを設け、円筒形取付フランジをハウジング内部で固定する埋没ねじのための２個のねじヘッド孔間の距離に相当する距離だけ前記ハウジング固定ノーズを離して配置する。この構成によれば、固定装置は２点で固定され、取付面は全体的に手工具装置に適合する。
【００１２】
　好適には、前記軸線方向にずれたフランジ固定ノーズをツール側で半径方向内方に突出させる。この構成により、軸線方向の移動止めをなすことができる。
【００１３】
　好適には、前記フランジ固定ノーズに半径方向のアンダーカットを設ける。この構成によれば、アンダーカットに掛合する補助グリップのフランジ緊締バンドを緊締することによって、位置決めした補助グリップを半径方向に固定することができる。
【００１４】
　好適には、固定手段を蝶ねじとして構成する。この構成によれば、ロッド案内において軸線方向に移動可能に案内される深さ止めを、手作業で圧力を加えて及び／又は形状ロックで固定することができる。
【００１５】
　次に、図面につき本発明の好適な実施例を説明する。
【実施例】
【００１６】
　手工具装置４のハウジング３に深さ止め２を固定する固定装置１は、ロッド案内５と、蝶ねじとして構成した固定手段６と、円筒形内面として構成した半径方向取付面７と、装置側で軸線方向に突出するハウジング固定ノーズ８ａ、８ｂと、ツール側で半径方向内方に突出するフランジ固定ノーズ９とを設け、これらノーズを、手工具装置４又は円筒形取付フランジ１１の収容部１０及び１０ａに、形状ロックを生ずるよう掛合可能に構成する。２個のハウジング固定ノーズ８ａ，８ｂは、２個のねじヘッド孔１２ａ，１２ｂ間の距離Ｘだけ互いに離して配置し、このねじヘッド孔１２ａ、１２ｂは、円筒形取付フランジ１１を手工具装置４に内部で固定する埋没ねじ１６のために設ける。フランジ固定ノーズ９は、取付フランジ１１の収容部１０ａに掛合し、これにより、固定装置１を軸線方向に固定し、また、フランジ固定ノーズ９にアンダーカット１３を設け、このアンダーカット１３によって補助グリップ１５のフランジ固定バンド１４に掛合して固定装置１を半径方向に固定することができる。
【図面の簡単な説明】
【００１７】
【図１】本発明固定装置の実施例を有する手工具装置の分解斜視図である。
【図２】図１の手工具装置の収容部の部分斜視図である。
【符号の説明】
【００１８】
　１　固定装置
　２　深さ止め
　３　ハウジング
　４　手工具装置
　５　ロッド案内
　６　固定手段
　７　半径方向取付面
　８　ハウジング固定ノーズ
　９　フランジ固定ノーズ
１０　収容部
１１　円筒形取付フランジ
１２　ねじヘッド孔
１３　アンダーカット
１４　フランジ固定バンド
１５　補助グリップ
【図１】
2004098280.tif 000003
【図２】
2004098280.tif 000004